(57)【要約】【課題】複眼撮影装置により取得された複数の画像に、共通する顔等の所定被写体が含まれるか否かを簡易に判定できるようにする。【解決手段】カメラ２Ａ，２Ｂにより、被写体を互いに異なる複数の撮影位置において撮影することにより、被写体の複数の画像を取得する。被写体検出部７が、カメラ２Ａ，２Ｂが取得した複数の画像から所定被写体を検出する。判定部８が、検出された所定被写体を含む領域を複数の画像間において照合することにより、複数の画像から検出された所定被写体が一致するか否かを判定し、判定結果を出力する。【選択図】図１
2009239391.tif 000002
【特許請求の範囲】
【請求項１】
被写体を互いに異なる複数の撮影位置において撮影することにより、該被写体の複数の画像を取得する複数の撮影手段と、
該複数の画像から所定被写体を検出する被写体検出手段と、
前記検出された所定被写体を含む領域を前記複数の画像間において照合することにより、前記複数の画像から検出された前記所定被写体が一致するか否かを判定し、該判定結果を出力する判定手段とを備えたことを特徴とする複眼撮影装置。
【請求項２】
被写体を互いに異なる複数の撮影位置において撮影することにより、該被写体の複数の画像を取得する複数の撮影手段と、
該複数の画像のうちの一の画像から所定被写体を検出する被写体検出手段と、
前記一の画像から検出された前記所定被写体を含む領域と、該一の画像以外の他の画像とを照合することにより、前記一の画像から検出された所定被写体が前記他の画像に含まれるか否かを判定し、該判定結果を出力する判定手段とを備えたことを特徴とする複眼撮影装置。
【請求項３】
被写体を互いに異なる複数の撮影位置において撮影することにより、該被写体の複数の画像を取得し、
該複数の画像から所定被写体を検出し、
前記検出された所定被写体を含む領域を前記複数の画像間において照合することにより、前記複数の画像から検出された前記所定被写体が一致するか否かを判定し、該判定結果を出力することを特徴とする複眼撮影装置の制御方法。
【請求項４】
被写体を互いに異なる複数の撮影位置において撮影することにより、該被写体の複数の画像を取得し、
該複数の画像のうちの一の画像から所定被写体を検出し、
前記一の画像から検出された前記所定被写体を含む領域と、該一の画像以外の他の画像とを照合することにより、前記一の画像から検出された所定被写体が前記他の画像に含まれるか否かを判定し、該判定結果を出力することを特徴とする複眼撮影装置の制御方法。
【請求項５】
被写体を互いに異なる複数の撮影位置において撮影することにより、該被写体の複数の画像を取得する手順と、
該複数の画像から所定被写体を検出する手順と、
前記検出された所定被写体を含む領域を前記複数の画像間において照合することにより、前記複数の画像から検出された前記所定被写体が一致するか否かを判定し、該判定結果を出力する手順とを有することを特徴とする複眼撮影装置の制御方法をコンピュータに実行させるためのプログラム。
【請求項６】
被写体を互いに異なる複数の撮影位置において撮影することにより、該被写体の複数の画像を取得する手順と、
該複数の画像のうちの一の画像から所定被写体を検出する手順と、
前記一の画像から検出された前記所定被写体を含む領域と、該一の画像以外の他の画像とを照合することにより、前記一の画像から検出された所定被写体が前記他の画像に含まれるか否かを判定し、該判定結果を出力する手順とを有することを特徴とする複眼撮影装置の制御方法をコンピュータに実行させるためのプログラム。
【発明の詳細な説明】
【技術分野】
【０００１】
本発明は、複数の異なる撮影位置において被写体を撮影する複眼撮影装置およびその制御方法並びに複眼撮影装置の制御方法をコンピュータに実行させるためのプログラムに関するものである。
【背景技術】
【０００２】
複数のカメラを有する複眼カメラを用いて被写体を撮影し、これにより取得された複数の画像（基準カメラによる基準画像および参照カメラによる参照画像）の間で対応する画素である対応点を探索し（ステレオマッチング）、互いに対応する基準画像上の画素と、参照画像上の画素との位置の差（視差）に三角測量の原理を適用することにより、基準カメラまたは参照カメラから当該画素に対応する被写体上の点までの距離を計測して、被写体の立体形状を表す距離画像を生成する手法が提案されている。
【０００３】
一方、複眼カメラにより取得された複数の画像に対象とする被写体が含まれるか否かを判定し、その判定結果に基づいて、上述した距離の計測の他、カメラのフォーカス制御、露出制御および撮影等の各種制御が行われている。このような複眼カメラの各種制御を行うために、複眼カメラにより取得された複数の画像に、顔等の対象とする被写体が含まれるか否かを判定する手法が種々提案されている。例えば、特許文献１には、複眼カメラおよびミリ波レーダという複数のセンサを用意し、複数のセンサのそれぞれが同一の対象物を検出した際の位置および速度の誤差に関する正規分布に基づいて、特定された位置および速度の誤差から、検出された対象物のそれぞれが位置的および速度的に同一の対象物である第１および第２の確率を算出し、第１および第２の確率に基づいて、検出された対象物のそれぞれが同一の対象物である第３の確率を算出し、第３の確率がしきい値を超えた場合に、検出された対象物のそれぞれが同一の対象物であると判断する手法が提案されている。
【０００４】
また、特許文献２には、複数のカメラのうちの１つのカメラにより取得した画像に基づいて、顔等の特定の被写体の検出、フォーカス制御および露出制御等の各種動作を行う手法が提案されている。
【特許文献１】特開２００４−３７２３９号公報
【特許文献２】特開２００７−１１０４９８号公報
【発明の開示】
【発明が解決しようとする課題】
【０００５】
しかしながら、特許文献１に記載された手法は、複眼カメラ以外のセンサが必要であるため、装置の構成が煩雑なものとなる。また、確率を算出する必要があるため、演算にも長時間を要するものとなる。また、特許文献２に記載された手法は、１つのカメラにより取得された画像に基づいて各種制御を行っているため、すべてのカメラの撮影範囲内に共通に存在する被写体がその画像に含まれない場合にも、各種制御が行われることとなる。ここで、１つのカメラの撮影範囲内には存在するが、他のカメラの撮影範囲内には存在しない被写体は、撮影者にとってそれほど重要な被写体ではない場合が多い。このため、特許文献２に記載の手法の場合、１つのカメラにより取得した画像にしか含まれない、重要でない被写体に基づいて各種制御を行ってしまうおそれがある。
【０００６】
本発明は上記事情に鑑みなされたものであり、複眼撮影装置により取得された複数の画像に、共通する顔等の所定被写体が含まれるか否かを簡易に判定できるようにすることを目的とする。
【課題を解決するための手段】
【０００７】
本発明による第１の複眼撮影装置は、被写体を互いに異なる複数の撮影位置において撮影することにより、該被写体の複数の画像を取得する複数の撮影手段と、
該複数の画像から所定被写体を検出する被写体検出手段と、
前記検出された所定被写体を含む領域を前記複数の画像間において照合することにより、前記複数の画像から検出された前記所定被写体が一致するか否かを判定し、該判定結果を出力する判定手段とを備えたことを特徴とするものである。
【０００８】
本発明による第２の複眼撮影装置は、被写体を互いに異なる複数の撮影位置において撮影することにより、該被写体の複数の画像を取得する複数の撮影手段と、
該複数の画像のうちの一の画像から所定被写体を検出する被写体検出手段と、
前記一の画像から検出された前記所定被写体を含む領域と、該一の画像以外の他の画像とを照合することにより、前記一の画像から検出された所定被写体が前記他の画像に含まれるか否かを判定し、該判定結果を出力する判定手段とを備えたことを特徴とするものである。
【０００９】
本発明による第１の複眼撮影装置の制御方法は、被写体を互いに異なる複数の撮影位置において撮影することにより、該被写体の複数の画像を取得し、
該複数の画像から所定被写体を検出し、
前記検出された所定被写体を含む領域を前記複数の画像間において照合することにより、前記複数の画像から検出された前記所定被写体が一致するか否かを判定し、該判定結果を出力することを特徴とするものである。
【００１０】
本発明による第２の複眼撮影装置の制御方法は、被写体を互いに異なる複数の撮影位置において撮影することにより、該被写体の複数の画像を取得し、
該複数の画像のうちの一の画像から所定被写体を検出し、
前記一の画像から検出された前記所定被写体を含む領域と、該一の画像以外の他の画像とを照合することにより、前記一の画像から検出された所定被写体が前記他の画像に含まれるか否かを判定し、該判定結果を出力することを特徴とするものである。
【００１１】
なお、本発明による第１および第２の複眼撮影装置の制御方法をコンピュータに実行させるためのプログラムとして提供してもよい。
【発明の効果】
【００１２】
本発明による第１の複眼撮影装置およびその制御方法によれば、被写体を互いに異なる複数の撮影位置において撮影することにより被写体の複数の画像を取得し、取得した複数の画像から所定被写体を検出し、検出された所定被写体を含む領域を複数の画像間において照合することにより、複数の画像から検出された所定被写体が一致するか否かを判定して判定結果を出力するようにしたものである。このため、特許文献１に記載された手法のように、煩雑な演算を行うことなく、複数の画像に共通する所定被写体が存在するか否かを判定することができる。また、判定結果に基づいて、撮影者が重要と見なしている、複数の画像において共通する所定被写体を用いて各種制御を行うことができることとなる。
【００１３】
本発明による第２の複眼撮影装置およびその制御方法によれば、被写体を互いに異なる複数の撮影位置において撮影することにより被写体の複数の画像を取得し、取得した複数の画像のうちの一の画像から所定被写体を検出し、検出した所定被写体を含む領域と一の画像以外の他の画像とを照合することにより、一の画像から検出された所定被写体が他の画像に含まれるか否かを判定して判定結果を出力するようにしたものである。このため、特許文献１に記載された手法のように、煩雑な演算を行うことなく、複数の画像に共通する所定被写体が存在するか否かを判定することができる。また、判定結果に基づいて、撮影者が重要と見なしている複数の画像において共通する所定被写体を用いて各種制御を行うことができることとなる。
【発明を実施するための最良の形態】
【００１４】
以下、図面を参照して本発明の実施形態について説明する。図１は本発明の第１の実施形態による複眼撮影装置の構成を示す概略ブロック図である。図１に示すように第１の実施形態による複眼撮影装置１は、２つのカメラ２Ａ，２Ｂ、Ａ／Ｄ変換部３Ａ，３Ｂ、信号処理部４Ａ，４Ｂ、およびカメラ制御部５を備える。
【００１５】
カメラ２Ａ，２Ｂは、それぞれ距離値算出のための画像を取得するためのものであり、撮影レンズを含む光学系およびＣＣＤ等の撮像素子を備えてなり、カメラ制御部５により、撮影レンズを用いてのフォーカス動作およびズーム動作、露出制御、並びに撮像素子からの電荷の読み出しのタイミング等の駆動が制御される。また、カメラ２Ａ，２Ｂは所定間隔を空けて配置されており、カメラ２Ａ，２Ｂの間隔である基線長および被写体を見込む角度である輻輳角を変更することができる。なお、本実施形態においては、カメラ２Ａ，２Ｂは動画像を撮影するものとして説明するが、撮影動作が行われるまではスルー画像を撮影し、撮影動作が行われるとそのタイミングにおける静止画像を撮影するものであってもよい。なお、動画像を撮影する場合、画像ＳＡ，ＳＢは動画像の１フレームとなる。
【００１６】
Ａ／Ｄ変換部３Ａ，３Ｂは、カメラ２Ａ，２Ｂが撮影により取得した画像ＳＡ，ＳＢをアナログデータからデジタルデータに変換する。
【００１７】
信号処理部４Ａ，４Ｂは、カメラ２Ａ，２Ｂが取得した画像ＳＡ，ＳＢの画像データに対して、画像データの感度分布のばらつきおよび光学系の歪みを補正する補正処理を施すとともに、２つの画像ＳＡ，ＳＢを並行化するための並行化処理を施す。さらに、並行化処理後の画像に対してホワイトバランスを調整する処理、階調補正、シャープネス補正、および色補正等の画像処理を施す。なお、信号処理部４Ａ，４Ｂにおける処理後の画像についても、処理前の参照符号ＳＡ，ＳＢを用いるものとする。また、補正処理、並行化処理および画像処理の３つの処理を合わせて信号処理と称するものとする。
【００１８】
また、複眼撮影装置１は、被写体検出部７、判定部８および距離算出部９を備える。
【００１９】
被写体検出部７は、カメラ２Ａ，２Ｂが撮影により取得した画像ＳＡ，ＳＢ（信号処理前であっても処理後であってもよい）から所定被写体を含む領域を検出する。なお、本実施形態においては、所定被写体として顔を用いるものとし、被写体検出部７は、画像ＳＡ，ＳＢから顔を含む顔領域を検出するものとする。ここで、画像から顔領域を検出する手法としては、テンプレートマッチングによる手法、顔の多数のサンプル画像を用いたマシンラーニング学習により得られた顔判別器を用いる手法等の他、画像における肌色を有しかつ顔の輪郭形状を囲む矩形の領域を顔領域として検出する手法、顔の輪郭形状をなす領域を顔領域として検出する手法等、任意の手法を用いることができる。なお、動画像を撮影する場合、画像ＳＡ，ＳＢは動画像の１フレームであるため、全フレームから顔領域を検出してその後の処理を行ってもよいが、フレームを間引いて顔領域の検出およびその後の処理を行うようにしてもよい。
【００２０】
判定部８は、画像ＳＡから検出された顔領域と、画像ＳＢから検出された顔領域とを照合することにより、画像ＳＡ，ＳＢのそれぞれから検出された顔領域が一致するか否かを判定し、その判定結果を距離算出部９に出力する。
【００２１】
図２は第１の実施形態における画像ＳＡ，ＳＢからの顔領域の検出結果を示す図である。図２に示すように画像ＳＡから３つの顔領域Ｆ１〜Ｆ３が検出され、画像ＳＢから３つの顔領域Ｆ４〜Ｆ６が検出されたとする。判定部８は、画像ＳＡから検出された顔領域Ｆ１〜Ｆ３と、画像ＳＢから検出された顔領域Ｆ４〜Ｆ６とを照合し、顔領域同士が一致するか否かを判定する。具体的には、顔領域Ｆ１〜Ｆ３および顔領域Ｆ４〜Ｆ６のサイズを正規化し、正規化された顔領域同士の相関を算出し、相関がしきい値以上となるか否かに応じて顔領域同士が一致するか否かを判定する。なお、相関としては、顔領域同士において対応する画素値の差分絶対値和および差分２乗和の逆数等を用いることができる。
【００２２】
ここで、図２に示す画像ＳＡ，ＳＢの場合、判定部８は、顔領域Ｆ２と顔領域Ｆ４、および顔領域Ｆ３と顔領域Ｆ５とが一致すると判定し、顔領域Ｆ１および顔領域Ｆ６は、一致する顔がないと判定し、その判定結果を距離算出部９に出力する。
【００２３】
距離算出部９は、カメラ２Ａ，２Ｂからカメラ２Ａ，２Ｂの撮影範囲に含まれる共通する被写体までの距離を測定するためのものであり、まずステレオマッチングの手法を用いてカメラ２Ａ，２Ｂが取得した画像ＳＡ，ＳＢにおいて、一致する顔領域間における互いに対応する対応点を求める。例えば、一致する顔領域から部分的な行列（例えば３×３画素）を取り出して相関値を求めることにより対応点を求める。そして、求めた対応点、カメラ２Ａ，２Ｂの基線長、輻輳角およびズーム倍率を用いて、三角測量の原理により画像ＳＡ，ＳＢに共通して含まれる顔までの距離を表す距離値を算出する。具体的には、画像ＳＡ，ＳＢに共通する顔領域内のすべての画素について、対応する顔領域間の対応点を検出し、対応点間の差である視差を算出し、視差に基づいて距離値を算出する。なお、距離値に基づいて、各画素が距離値を有する距離画像を生成してもよい。また、画像ＳＡ，ＳＢから視差に基づいて、立体視が可能な立体画像を生成するようにしてもよい。
【００２４】
また、複眼撮影装置１は、画像ＳＡ，ＳＢおよび各種情報を表示するための液晶等のモニタ１１、モニタ１１への各種情報の表示を制御する表示制御部１２、複眼撮影装置１に各種入力を行うための十字キー、操作ボタン、ズームレバーおよびレリーズボタン等からなる入力部１３、並びに画像ＳＡ，ＳＢおよび距離値をメモリカード等の記録媒体１４に記録するための記録制御部１５を備える。さらに、複眼撮影装置１は、ＣＰＵ１６Ａ、作業領域となるＲＡＭ１６Ｂ、並びに装置１の動作プログラムおよび各種設定値が記憶されているＲＯＭ１６Ｃからなる全体制御部１６を備える。
【００２５】
次いで、第１の実施形態において行われる処理について説明する。図３は第１の実施形態において行われる処理を示すフローチャートである。なお、第１の実施形態においては、人物の顔を被写体とするものであり、カメラ２Ａ，２Ｂが取得した画像ＳＡ，ＳＢには顔が含まれているものとする。
【００２６】
撮影の指示がなされることにより全体制御部１６が処理を開始し、カメラ制御部５がカメラ２Ａ，２Ｂにより被写体を撮影して、画像ＳＡ，ＳＢを取得する（ステップＳＴ１）。次いで、被写体検出部７が、カメラ２Ａ，２Ｂが撮影により取得した画像ＳＡ，ＳＢから顔領域を検出する（ステップＳＴ２）。
【００２７】
次いで、判定部８が、画像ＳＡから検出された顔領域と、画像ＳＢから検出された顔領域とを照合することにより、画像ＳＡ，ＳＢのそれぞれから検出された顔領域が一致するか否かを判定し（ステップＳＴ３）、その判定結果を距離算出部９に出力する（ステップＳＴ４）。
【００２８】
距離算出部９は、判定部８の判定結果に基づいて、画像ＳＡ，ＳＢにおいて共通する顔領域についての距離値を算出し（ステップＳＴ５）、リターンする。
【００２９】
このように、第１の実施形態においては、画像ＳＡから検出された顔領域と、画像ＳＢから検出された顔領域とを照合することにより、画像ＳＡ，ＳＢのそれぞれから検出された顔領域が一致するか否かを判定するようにしたため、煩雑な演算を行うことなく、画像ＳＡ，ＳＢに共通する顔が存在するか否かを判定することができる。また、判定結果に基づいて、撮影者が重要と見なしている、画像ＳＡ，ＳＢにおいて共通する顔までの距離値を算出することができる。
【００３０】
なお、上記第１の実施形態においては、複眼撮影装置１を２つのカメラ２Ａ，２Ｂを備えるものとしているが、３以上のカメラを備えるものとしてもよい。この場合、すべてのカメラにより取得した画像から顔領域を検出し、各画像から検出された顔領域を照合することにより、各画像から検出された顔領域が一致するか否かを判定すればよい。
【００３１】
次いで、本発明の第２の実施形態について説明する。なお、第２の実施形態による複眼撮影装置の構成は、第１の実施形態による複眼撮影装置１の構成と同一であり、行われる処理のみが異なるため、ここでは構成についての詳細な説明は省略する。
【００３２】
第２の実施形態においては、カメラ２Ａ，２Ｂが取得した画像ＳＡ，ＳＢのうち、画像ＳＡのみから顔領域を検出し、検出した顔領域をＲＡＭ１６Ｂに一時的に記憶し、検出した顔領域と画像ＳＢとを照合することにより、画像ＳＡから検出した顔領域が画像ＳＢに含まれるか否かを判定するようにした点が第１の実施形態と異なる。
【００３３】
図４は第２の実施形態における画像ＳＡからの顔領域の検出結果を示す図である。図４に示すように画像ＳＡから３つの顔領域Ｆ１〜Ｆ３が検出されたとすると、被写体検出部７は顔領域Ｆ１〜Ｆ３の画像をＲＡＭ１６Ｂに一時的に記憶する。そして、判定部８は、画像ＳＡから検出された顔領域Ｆ１〜Ｆ３のそれぞれと画像ＳＢとを照合し、画像ＳＢに顔領域Ｆ１〜Ｆ３と一致する領域が存在するか否かを判定する。具体的には、顔領域Ｆ１〜Ｆ３をそれぞれ画像ＳＢ上において移動させつつ、顔領域Ｆ１〜Ｆ３のそれぞれと画素ＳＢとの相関を算出し、相関がしきい値以上となる領域が画像ＳＢに存在する場合、画像ＳＡから検出した顔領域が画像ＳＢに含まれると判定する。
【００３４】
図４に示す画像ＳＡ，ＳＢの場合、顔領域Ｆ２，Ｆ３の顔と一致する顔が画像ＳＢに存在することから、判定部８は顔領域Ｆ２，Ｆ３の顔と一致する顔が画像ＳＢに含まれると判定する。なお、第２の実施形態においては、判定部８は、画像ＳＢにおいて顔領域Ｆ２，Ｆ３と一致する領域を顔領域Ｆ２′，Ｆ３′として検出し、検出した顔領域Ｆ２′，Ｆ３′の情報（位置およびサイズ）を判定結果に含めて距離算出部９に出力する。
【００３５】
次いで、第２の実施形態において行われる処理について説明する。図５は第２の実施形態において行われる処理を示すフローチャートである。なお、第２の実施形態においては、人物の顔を被写体とするものであり、カメラ２Ａ，２Ｂが取得した画像ＳＡ，ＳＢには顔が含まれているものとする。
【００３６】
撮影の指示がなされることにより全体制御部１６が処理を開始し、カメラ制御部５がカメラ２Ａ，２Ｂにより被写体を撮影して、画像ＳＡ，ＳＢを取得する（ステップＳＴ１１）。次いで、被写体検出部７がカメラ２Ａが撮影により取得した画像ＳＡから顔領域を検出する（ステップＳＴ１２）。
【００３７】
次いで、判定部８が、画像ＳＡから検出された顔領域と画像ＳＢとを照合することにより、画像ＳＡから検出された顔領域が画像ＳＢに含まれるか否かを判定し（ステップＳＴ１３）、その判定結果を距離算出部９に出力する（ステップＳＴ１４）。
【００３８】
距離算出部９は、判定部８の判定結果に基づいて、画像ＳＡ，ＳＢにおいて共通する顔領域についての距離値を算出し（ステップＳＴ１５）、リターン終了する。
【００３９】
このように、第２の実施形態においては、画像ＳＡから検出した顔領域と画像ＳＢとを照合することにより、画像ＳＡから検出された顔領域が画像ＳＢに含まれるか否かを判定するようにしたため、煩雑な演算を行うことなく、画像ＳＡ，ＳＢに共通する顔が存在するか否かを判定することができる。また、判定結果に基づいて、撮影者が重要と見なしている、画像ＳＡ，ＳＢにおいて共通する顔までの距離値を算出することができる。
【００４０】
なお、上記第２の実施形態においては、複眼撮影装置１を２つのカメラ２Ａ，２Ｂを備えるものとしているが、３以上のカメラを備えるものとしてもよい。この場合、１つのカメラにより取得した画像から顔領域を検出し、検出した顔領域と他の画像とを照合することにより、検出した顔領域が他の画像に含まれるか否かを判定すればよい。
【００４１】
また、上記第１および第２の実施形態においては、判定結果を距離算出部９に出力して、画像ＳＡ，ＳＢに共通する顔までの距離値を算出しているが、判定結果をカメラ制御部５に出力し、画像ＳＡ，ＳＢに共通する顔に焦点が合うようにカメラ２Ａ，２Ｂのフォーカス制御を行うようにしてもよい。また、画像ＳＡ，ＳＢに共通する顔の露出が同一となるように、カメラ２Ａ，２Ｂの露出制御を行うようにしてもよい。さらに、とくに静止画像を撮影する場合において、カメラ２Ａ，２Ｂにより取得したスルー画像に共通する顔領域が存在するようになったときに、カメラ２Ａ，２Ｂの撮影動作を行うようにしてもよい。この場合、顔領域の表情を検出し、共通する顔領域に含まれる顔が笑顔等の特定の表情となったときにカメラ２Ａ，２Ｂの撮影動作を行うようにしてもよい。
【００４２】
また、上記第１および第２の実施形態のフローチャートにおいては、画像ＳＡ，ＳＢに顔が含まれることを前提として説明しているが、画像ＳＡ，ＳＢに顔が含まれない場合もある。このような場合、画像ＳＡ，ＳＢに顔が含まれるか否かを判定し、含まれない場合には撮影の処理に戻るようにしてもよい。
【００４３】
また、上記第１および第２の実施形態においては、所定被写体を顔としているが、車両、建物等、顔以外の被写体を検出の対象にできることはもちろんである。
【００４４】
以上、本発明の実施形態について説明したが、コンピュータを、上記の被写体検出部７および判定部８に対応する手段として機能させ、図２および図５に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００４５】
【図１】本発明の第１の実施形態による複眼撮影装置の構成を示す概略ブロック図
【図２】第１の実施形態における画像ＳＡ，ＳＢからの顔領域の検出結果を示す図
【図３】第１の実施形態において行われる処理を示すフローチャート
【図４】第２の実施形態における画像ＳＡからの顔領域の検出結果を示す図
【図５】第２の実施形態において行われる処理を示すフローチャート
【符号の説明】
【００４６】
１    複眼撮影装置
２Ａ，２Ｂ    カメラ
５    カメラ制御部
７    被写体検出部
８    判定部
９    距離算出部
【図１】
2009239391.tif 000003
【図２】
2009239391.tif 000004
【図３】
2009239391.tif 000005
【図４】
2009239391.tif 000006
【図５】
2009239391.tif 000007